(57)【要約】【課題】ＲＦ信号の振幅情報を測定するための再生動作の際に、レーザ光源を駆動する駆動信号に重畳される高周波信号の周波数を高くする。【解決手段】ＶＣＯ４から高周波信号が発振出力されレーザ駆動回路３に供給される。レーザ駆動回路３は、レーザ光源を駆動する駆動信号に高周波信号を重畳する。高周波信号が重畳された駆動信号が光学ピックアップ２のレーザ光源に供給され、レーザ光源からレーザ光が出射される。ディスク１から読みだされたＲＦ信号がトップホールド部およびボトムホールド部９に供給され、ＲＦ信号の振幅情報が測定される。記録特性測定部１０は、ＲＦ信号の振幅情報に基づいて変調度等を測定する。変調度等の測定のための再生動作の際にＶＣＯ４が発振出力する高周波信号の周波数を、通常再生の際にＶＣＯ４が発振出力する高周波信号の周波数より高くする。【選択図】図１
2012048801.tif 000002
【特許請求の範囲】
【請求項１】
レーザ光源から出射されたレーザ光を記録媒体に対して照射することにより再生信号を得る再生部と、
前記レーザ光源を駆動する駆動信号に対して、第１の高周波信号と前記第１の高周波信号より高い周波数とされる第２の高周波信号のいずれか一方を重畳する高周波信号重畳部とを備え、
前記高周波信号重畳部は、第１の再生動作を行う際に、前記駆動信号に対して前記第１の高周波信号を重畳し、前記再生信号の振幅情報を測定するための第２の再生動作を行う際に、前記駆動信号に対して前記第２の高周波信号を重畳する情報処理装置。
【請求項２】
前記記録媒体に対して前記レーザ光を照射することにより信号を記録する記録部を備え、
前記再生信号の振幅情報の測定は、記録時における前記レーザ光の記録パワーを最適化するためになされる請求項１に記載の情報処理装置。
【請求項３】
前記記録部による記録前および記録中の少なくとも一方において、前記再生信号の振幅情報を測定する請求項２に記載の情報処理装置。
【請求項４】
前記再生信号は、Ｎ倍速（ただし、Ｎ＞１）の再生速度で再生された信号である請求項１乃至３のいずれか１項に記載の情報処理装置。
【請求項５】
前記第１の再生動作により再生された再生信号が第１のフィルタに供給され、前記第２の再生動作により再生された再生信号が第２のフィルタに供給され、前記第１のフィルタの高域遮断特性が前記第２のフィルタの高域遮断特性より急峻とされる請求項１乃至４のいずれか１項に記載の情報処理装置。
【請求項６】
前記第２の高周波信号の周波数は、前記第２のフィルタの高域遮断周波数の２倍から４倍とされる請求項５に記載の情報処理装置。
【請求項７】
前記第１のフィルタがディジタルフィルタであり、前記第２のフィルタがアナログフィルタである請求項５または６に記載の情報処理装置。
【請求項８】
レーザ光源から出射されたレーザ光を記録媒体に対して照射することにより再生信号を得る再生ステップと、
前記レーザ光源を駆動する駆動信号に対して、第１の高周波信号と前記第１の高周波信号より高い周波数とされる第２の高周波信号のいずれか一方を重畳する高周波信号重畳ステップとを有し、
前記高周波信号重畳ステップは、第１の再生動作を行う際に、前記駆動信号に対して前記第１の高周波信号を重畳し、前記再生信号の振幅情報を測定するための第２の再生動作を行う際に、前記駆動信号に対して前記第２の高周波信号を重畳する情報処理方法。
【発明の詳細な説明】
【技術分野】
【０００１】
本願開示は、レーザ光源を駆動する駆動信号に対して重畳される高周波信号の周波数を制御する情報処理装置および情報処理方法に関する。
【背景技術】
【０００２】
ＤＶＤ(Digital Versatile Disc)やＢＤ(Blu-ray Disc(登録商標))などの光ディスクが広く普及している。これらの光ディスクを再生する際には、レーザ光源から出射されたレーザ光を光ディスクの所望の位置に照射し、光ディスクからの反射光を検出する。反射光が電気信号へと変換されることで再生信号（ＲＦ(Radio Frequency)信号）が得られる。このとき、反射光の一部（戻り光）がレーザ光源へと戻る。この戻り光がレーザ光のノイズの要因となり実用上の問題となる。
【０００３】
戻り光に起因するノイズを抑制するため、レーザ光源を駆動する駆動信号（駆動電流）に高周波信号を重畳することが行われている。駆動信号に対して高周波信号を重畳することによりレーザ光のノイズ特性であるＲＩＮ(Relative Intensity Noise：相対強度雑音)値を低下させ、ＲＦ信号のＳ／Ｎ(Signal to Noise ratio)を向上させることができる。このような手法は、例えば、下記特許文献１および特許文献２に開示されている。
【０００４】
一方、光ディスク装置では、ＯＰＣ(Optimum Power Control)と称されるレーザ光の記録パワーを調整する処理が行われる。ＯＰＣでは、光ディスクの最内周エリアなどに設けられたＯＰＣエリアに所定のデータを試し書きし、試し書きしたデータを再生してＲＦ信号を得る。ＲＦ信号の波形から得られるエンベローブ情報を使用して所定の演算を実行し、ＲＦ信号の変調度やＲＦ信号の振幅の非対称性を示すβ値、ＲＦ信号の振幅値（以下、適宜、ＲＦ振幅値と略す。）と呼ばれる測定値を得る。これらの測定値に基づいてレーザ光の最適な記録パワーが決定される。変調度やβ値、ＲＦ振幅値（以下、総称して変調度等と略すこともある）の測定はＯＰＣに限らず、再生時における光学収差を調整するために実行されることもある。
【先行技術文献】
【特許文献】
【０００５】
【特許文献１】特開２０００−１４９３０２号公報
【特許文献２】特開２００４−２８８２７７号公報
【発明の概要】
【発明が解決しようとする課題】
【０００６】
ところで、通常再生時において再生されたＲＦ信号は、一般にＡＣ(Alternating Current)信号として扱われるためＤＣ(Direct Current)成分は除去される。これに対して、例えば、変調度の測定にはＤＣ成分が必要とされる場合もあるため、測定時にＲＦ信号のＤＣ成分は除去されないこともある。また、通常再生時において再生されたＲＦ信号に必要とされる周波数帯域と、変調度を測定するためのＲＦ信号に必要とされる周波数帯域とは異なる場合が多い。このため、駆動信号に重畳される高周波信号の高周波信号成分が変調度の測定の際の誤差要因となり、正確な測定値を得ることができなくなるおそれがある。
【０００７】
また、光学ピックアップを介して得られるＲＦ信号には、高周波信号の高周波信号成分が混入する。通常再生を行う系には、低域通過フィルタとして、例えば、高次のＦＩＲ(Finite Impulse Response)フィルタを含むイコライザ回路が備えられ、高次のＦＩＲフィルタにより高周波信号成分を除去できる。したがって、ＲＦ信号に混入する高周波信号成分を十分に抑圧できる。しかしながら、変調度等を測定する系は、高次のＦＩＲフィルタでなく１次のＣＲアナログローパスフィルタにより構成されることが多い。したがって、ＲＦ信号に混入する高周波信号成分を十分且つ厳密に除去できない。
【０００８】
特に、倍速再生がなされたときはＲＦ信号の周波数帯域が広がり、ＲＦ信号の最高周波数と高周波信号成分の周波数とが接近する。この場合に、１次のＣＲアナログフィルタにより高周波信号成分のみを厳密に除去してＲＦ信号を検出することは困難である。高周波信号成分が含まれたＲＦ信号に基づいて変調度等を測定すると、高周波信号成分に起因する誤差により正確な変調度等を得ることができない。なお、変調度等を測定する系に対して高次のＦＩＲフィルタを設けることは、装置の複雑化をまねきコスト面でも不利である。
【０００９】
変調度等を測定する際に、駆動信号に対して高周波信号を重畳しない（オフ）、または、高周波信号の振幅を小さくすることも考えられる。しかしながら、高周波信号を重畳しないとレーザ光の出射光と戻り光の干渉による突発的なノイズが発生し、トラッキングサーボやフォーカスサーボ、アドレスのデコード等の処理が乱れるおそれがある。
【００１０】
したがって、本願開示は、正確な変調度等の測定値を得ることができる装置および方法を提供することを目的とする。
【課題を解決するための手段】
【００１１】
上述した課題を解決するために、本願開示の装置は、レーザ光源から出射されたレーザ光を記録媒体に対して照射することにより再生信号を得る再生部と、
レーザ光源を駆動する駆動信号に対して、第１の高周波信号と第１の高周波信号より高い周波数とされる第２の高周波信号のいずれか一方を重畳する高周波信号重畳部とを備え、
高周波信号重畳部は、第１の再生動作を行う際に、駆動信号に対して第１の高周波信号を重畳し、再生信号の振幅情報を測定するための第２の再生動作を行う際に、駆動信号に対して第２の高周波信号を重畳する情報処理装置である。
【００１２】
また、本願開示の方法は、レーザ光源から出射されたレーザ光を記録媒体に対して照射することにより再生信号を得る再生ステップと、
レーザ光源を駆動する駆動信号に対して、第１の高周波信号と第１の高周波信号より高い周波数とされる第２の高周波信号のいずれか一方を重畳する高周波信号重畳ステップとを有し、
高周波信号重畳ステップは、第１の再生動作を行う際に、駆動信号に対して第１の高周波信号を重畳し、再生信号の振幅情報を測定するための第２の再生動作を行う際に、駆動信号に対して第２の高周波信号を重畳する情報処理方法である。
【発明の効果】
【００１３】
少なくとも一つの実施形態によれば、ＲＦ信号の正確な振幅情報を得ることができる。したがって、振幅情報を使用して測定される変調度等の測定値も正確となる。
【図面の簡単な説明】
【００１４】
【図１】一実施形態における情報処理装置の構成を示すブロック図である。
【図２】一実施形態における情報処理装置が実行する処理の流れを示すフローチャートである。
【図３】理想的なＲＦ信号の波形図である。
【図４】高周波信号成分の影響をうけたＲＦ信号の波形図である。
【図５】高周波信号成分の影響を軽減したＲＦ信号の波形図である。
【発明を実施するための形態】
【００１５】
以下、一実施形態および変形例について図面を参照しながら説明する。説明は以下の順序で行う。
＜一実施形態＞
＜変形例＞
なお、以下に説明する実施形態等は好適な具体例であり、技術的に好ましい種々の限定が付されているが、以下の説明において、明示的に限定する旨の記載がない限り、これらの実施形態等に限定されないものとする。
【００１６】
＜一実施形態＞
１．情報処理装置の構成
図１は、一実施形態における情報処理装置２０の構成を示す。情報処理装置２０は、光ディスク１に信号を記録し、記録された信号を再生する機能を有し、光学ピックアップ（ＯＰ）２、レーザ駆動回路３、ＶＣＯ(Voltage Controlled Oscillator)４、ＡＰＣ(Automatic Power Control)５を備える。また、情報処理装置２０は、通常再生の再生系としてイコライザ６、デコーダ７、エラー訂正部８を備え、記録系としてエンコーダ１１を備え、測定系としてトップホールド部およびボトムホールド部９、記録特性測定部１０を備え、サーボ系としてサーボ装置１２、スピンドルモータ１３、スレッドモータ１４を備える。情報処理装置２０の各部は、例えば制御部１５により制御される。
【００１７】
光ディスク１は、ＤＶＤ−Ｒ(Recordable)やＢＤ−Ｒ等の記録可能なディスクである。図示しないターンテーブルに載置された光ディスク１がスピンドルモータ１３によって所定の回転速度で回転される。
【００１８】
光学ピックアップ２は、記録再生のためのレーザ光源と、このレーザ光源から出射されたレーザ光を対物レンズを介して光ディスク１の記録面に集光させ、この光ディスク１からの反射光を取り込む光学系と、この光学系によって取り込んだ反射光を検出する光検出器とから構成される。
【００１９】
また、光学ピックアップ２内には、電磁アクチュエータで実現されるレーザ光位置調節機構が搭載されており、アクチュエータによって対物レンズがフォーカス方向とトラッキング方向に移動するように制御される。
【００２０】
光学ピックアップ２のレーザ光源は、レーザ駆動回路３から供給される駆動信号（駆動電流）により駆動される。レーザ駆動回路３に対して、ＶＣＯ４から高周波信号が供給される。ＶＣＯ４は、例えば光ディスク１の再生時に、制御部１５による制御に応じて高周波信号を発振出力する。ＶＣＯ４から出力された高周波信号がレーザ駆動回路３に対して供給される。ＶＣＯ４が発振出力する高周波信号の周波数は、制御部１５による制御により可変とされる。
【００２１】
レーザ駆動回路３は、ＶＣＯ４から供給された高周波信号を、レーザ光源を駆動する駆動信号に重畳する。高周波信号が重畳された駆動信号が光学ピックアップ２内のレーザ光源に供給され、レーザ光源から駆動信号に応じたレーザ光が出射される。例えば、レーザ駆動回路３により高周波信号重畳部が構成される。なお、光ディスク１から信号を再生するときに限らず光ディスク１へ信号を記録する処理の際に、駆動信号に対して高周波信号が重畳されてもよい。
【００２２】
ＡＰＣ５は、レーザ光源から出射されるレーザ光のレーザパワーを監視し、レーザ光の発光強度が所望のレベルになるようにレーザ駆動回路３を制御する。
【００２３】
光ディスク１の通常再生を行う時には、光ディスク１に対してレーザ光が照射され、光ディスク１からの反射光が光検出器によって電気信号へと変換される。電気信号が光学ピックアップ２から図示しないアナログフロントエンド（図示は省略している）に供給される。例えば、光学ピックアップ２と図示しないアナログフロントエンドにより再生部が構成される。アナログフロントエンドから再生データとしてＲＦ信号、フォーカスエラー信号、トラッキングエラー信号、ウォブル信号が出力される。
【００２４】
アナログフロントエンドから出力されたＲＦ信号がイコライザ６に供給される。イコライザ６は、低域通過フィルタとして、例えば、高次のＦＩＲフィルタ（ディジタルフィルタ）（図示は省略している）を備える。イコライザ６においてＲＦ信号が整形され、高次のＦＩＲフィルタにより高周波信号の高周波信号成分が除去される。イコライザ６が備えるＦＩＲフィルタの高域遮断特性は、後述するトップホールドおよびボトムホールド部９が備える１次のＣＲアナログフィルタの高域遮断特性より急峻とされる。イコライザ６が有するＦＩＲフィルタを使用して、ＲＦ信号に混入する高周波信号成分を厳密に除去できる。
【００２５】
イコライザ６において、ＲＦ信号に対して二値化処理等の所定の信号処理がなされ、所定の信号処理がなされたＲＦ信号がデコーダ７に供給される。デコーダ７においてデコード処理がなされたＲＦ信号がエラー訂正部８に供給される。エラー訂正部８においてエラー訂正処理がなされることで再生信号を得る。再生信号が制御部１５に対して供給される。上述した通常再生の動作が第１の再生動作の一例とされる。
【００２６】
制御部１５は、例えば、メモリを有するＤＳＰ(Digital Signal Processor)により構成され、情報処理装置２０の各部を制御する。また、エラー訂正部８から制御部１５に対して供給された再生信号を図示しないインタフェースを介して情報処理装置２０の外部に出力する。
【００２７】
アナログフロントエンドから出力されたフォーカスエラー信号、トラッキングエラー信号、ウォブル信号が制御部１５に対して供給される。ウォブル信号が制御部１５の有するアドレスデコード機能によりデコードされることで光ディスク１上のアドレス情報が取得される。
【００２８】
制御部１５は、受け取ったフォーカスエラー信号からフォーカスを制御するためのフォーカスドライブ信号を生成する。また、受け取ったトラッキングエラー信号からトラッキングを制御するためのトラッキングドライブ信号を生成する。さらに、制御部１５は、光学ピックアップ２を目標位置に移動させるために、スレッドモータを駆動するスレッドモータ信号を生成する。フォーカスドライブ信号、トラッキングドライブ信号、スレッドモータ信号がサーボ装置１２に対して供給される。
【００２９】
サーボ装置１２は、制御部１５から供給されるフォーカスドライブ信号、トラッキングドライブ信号、スレッドモータ信号に応じてスレッドモータ１４を駆動する。スレッドモータ１４が駆動することで光学ピックアップ２が移動（シーク）され、光ディスク１上の所望の位置にレーザ光が照射される。
【００３０】
光ディスク１への記録時には、エラー訂正コードを付加する処理等がなされた記録データがエンコーダ１１に対して供給される。エンコーダ１１において記録データがレーザ光の発光情報へと変調され、レーザ駆動回路３に対して供給される。
【００３１】
レーザ駆動回路３は、供給された発光情報に応じて駆動信号を生成し、生成した駆動信号を光学ピックアップ２のレーザ光源に対して供給する。駆動信号に応じてレーザ光源からレーザ光が出射し、出射したレーザ光が光ディスク１に対して照射されることにより記録データが記録される。一実施形態における情報処理装置２０では、例えば、光学ピックアップ２により記録部が構成される。
【００３２】
上述した構成とされる情報処理装置２０は、ＯＰＣと称される、レーザ光の記録パワーや記録パルスを調整する処理を実行する。ＯＰＣは、例えば、光ディスク１に対して記録データを記録する前に実行される。ＯＰＣの実行時には、光学ピックアップ２を使用して光ディスク１の最内周エリア等に設けられたＯＰＣエリアに既定のデータが書き込まれる。ＯＰＣに光学ピックアップ２から出射したレーザ光が照射され、書き込まれたデータが光学ピックアップ２を介して読み取られＲＦ信号が再生される。ＯＰＣにおける再生動作が第２の再生動作の一例とされる。再生されたＲＦ信号がトップホールド部およびボトルホールド部９に供給される。
【００３３】
トップホールド部およびボトムホールド部９は、供給されたＲＦ信号から変調度やβ値を測定するために必要なＲＦ信号の振幅情報を測定する。振幅情報は、例えば、ＲＦ信号のエンベローブ情報であり、トップホールド部およびボトムホールド部９において、ＲＦ信号の振幅のトップ（ピーク）とボトムのレベルとがそれぞれ測定される。トップホールド部およびボトムホールド部９は、例えば、１次のＣＲアナログフィルタ（図示は省略している）を備える。
【００３４】
なお、トップホールド部およびボトムホールド部９は、変調度やβ値などの測定対象に応じてＲＦ信号のＤＣ成分を除去する構成とされてもよい。例えば、変調度の測定には一般にＲＦ信号のＤＣ成分が必要とされ、β値は一般にＤＣ成分を含まないＲＦ信号に対して定義される。したがって、トップホールド部およびボトムホールド部９において、光学ピックアップ２から供給されるＲＦ信号のＤＣ成分を除去する処理が測定対象に応じて実行されるようにしてもよい。トップホールド部およびボトムホールド部９で検出されたエンベローブ情報が記録特性測定部１０に対して供給される。
【００３５】
記録特性測定部１０では、トップホールド部およびボトムホールド部９から供給されるエンベローブ情報を使用して所定の演算を行い、変調度やβ値、ＲＦ振幅値等の測定値を算出する。記録特性測定部１０で算出された測定値が制御部１５に対して供給される。
【００３６】
制御部１５は、記録特性測定部１０から供給される測定値に応じてレーザ光の記録パワーを最適化する制御信号をＡＰＣ５に対して供給する。ＡＰＣ５は、制御信号に応じてレーザ駆動回路３を駆動する。ＯＰＣが実行されることで、記録時におけるレーザ光の記録パワーが最適化される。
【００３７】
このように、通常再生を行う際は、光学ピックアップ２から出力されるＲＦ信号が再生系（イコライザ６、デコーダ７、エラー訂正部８）に対して供給される。これに対して、ＲＦ信号の振幅情報を測定する際の再生動作を行う際は、光学ピックアップ２から出力されるＲＦ信号が測定系（トップホールド部およびボトムホールド部９、記録特性測定部１０）に対して供給される。ＲＦ信号の出力先の切り換えは、例えば、制御部１５により制御される。
【００３８】
ところで、従来は、ＯＰＣエリアに試し書きされたデータを再生するときに、通常再生動作と同様の高周波信号が駆動信号に重畳されていた。この高周波信号の高周波信号成分が変調度やβ値等の測定において誤差要因となるおそれがある。
【００３９】
トップホールド部およびボトムホールド部９が備える１次のＣＲアナログフィルタでは、高周波信号成分を十分に除去且つ厳密にできない。このため、ＲＦ信号に高周波信号の高周波信号成分が混入する。混入した高周波信号成分がＲＦ信号のエンベローブ情報に影響を与える。混入した高周波信号成分の影響によりトップホールド部およびボトムホールド部９においてＲＦ信号の正確なエンベローブ情報が得られず、記録特定測定部１０で算出される変調度やβ値に誤差が生じる。
【００４０】
そこで、一実施形態における情報処理装置２０は、ＲＦ信号のエンベローブ情報を測定するための再生動作の行う際に、駆動信号に重畳される高周波信号の周波数を高くする。すなわち、ＯＰＣの再生動作を行う際に制御部１５がＶＣＯ４を制御し、ＶＣＯ４が発振出力する高周波信号の周波数を、通常再生動作の際にＶＣＯ４が発振出力する高周波信号の周波数より高くする。例えば、制御部１５から供給される制御信号に応じてＶＣＯ４の設定が変更されることにより高周波信号の周波数が高く変更される。
【００４１】
周波数が高くされた高周波信号がＶＣＯ４から発振出力され、レーザ駆動回路３に供給される。レーザ駆動回路３は、周波数が高くされた高周波信号を駆動信号に重畳する。この駆動信号が光学ピックアップ２内のレーザ光源に供給されることでレーザ光源が駆動し、レーザ光源からレーザ光が出射される。
【００４２】
レーザ光源から出射されたレーザ光が光ディスク１のＯＰＣエリアに照射され、その反射光が電気信号へと変換されＲＦ信号が生成される。生成されたＲＦ信号がトップホールド部およびボトムホールド部９に供給される。上述したように駆動信号に重畳される高周波信号の周波数は、通常再生動作の際に高周波信号に対して高い周波数とされている。このため、トップホールド部およびボトムホールド部９が備える１次のＣＲアナログフィルタによっても高周波信号成分を除去でき、ＲＦ信号への高周波信号成分の混入を防ぐことができる。
【００４３】
ＲＦ信号に対する高周波信号成分の混入を防ぐことができるため、トップホールド部およびボトムホールド部９がＲＦ信号の正確なエンベローブ情報を測定できる。したがって、測定されたエンベローブ情報に基づいて記録特性測定部１０が算出する変調度等の測定値も正確になる。
【００４４】
２．ＯＰＣの処理
図２は、情報処理装置２０において、ＯＰＣを行う際に実行される処理の流れを示すフローチャートである。なお、以下の処理は、光ディスク１のＯＰＣエリアに試し書き用のデータが記録され、ＯＰＣエリアに記録されたデータを再生する前になされる処理である。
【００４５】
ステップＳ１では、制御部１５によりＶＣＯ４が制御され、駆動信号に重畳される高周波信号の周波数（以下、適宜、重畳周波数と称する）が、通常再生動作の際の重畳周波数ｆｒから重畳周波数ｆｍへ変更される。重畳周波数ｆｍは、ＲＦ信号のエンベローブ情報の測定や、エンベローブ情報を使用した変調度、β値等の測定に適した周波数となるように適切に設定される。例えば、トップホールド部およびボトムホールド部９が等価的に有する１次のＣＲアナログフィルタの高域遮断周波数ｆｃを基準にして十分高い周波数とされる。好ましくは、重畳周波数ｆｍは、高域遮断周波数ｆｃの２倍から４倍程度とされる。
【００４６】
例えば、１次のＣＲアナログフィルタの高域遮断周波数が１３０ＭＨｚである場合に、重畳周波数ｆｍは５００ＭＨｚ付近（１３０ＭＨｚの４倍程度）とされる。なお、光学ピックアップ２とトップホールド部およびボトムホールド部９との間の伝送損失特性を把握できる場合は、この伝送損失特性の値を元に変更する重畳周波数を決定してもよい。重畳周波数の変更がなされると、処理がステップＳ２に進む。
【００４７】
ステップＳ２では、制御部１５によりサーボ装置１２が制御され、スレッドモータ１４が駆動する。スレッドモータ１４が駆動することにより、光ディスク１の測定対象のアドレス（ＯＰＣエリア）に対してレーザ光を照射する位置に光学ピックアップ２が移動する。
【００４８】
そして、ＶＣＯ４からは重畳周波数ｆｍである高周波信号が発振出力され、重畳周波数ｆｍである高周波信号がレーザ駆動回路３に対して供給される。レーザ駆動回路３において、重畳周波数ｆｍである高周波信号が駆動信号に対して重畳される。重畳周波数ｆｍである高周波信号が重畳された駆動信号がレーザ駆動回路３からレーザ光源に供給される。駆動信号に応じてレーザ光源からレーザ光が出射し、ＯＰＣエリアに対してレーザ光が照射される。
【００４９】
ＯＰＣエリアに照射されたレーザ光の反射光が電気信号へと変換されてＲＦ信号が再生される。ＲＦ信号がトップホールド部およびボトムホールド部９に供給される。トップホールド部およびボトムホールド部９では、１次のＣＲアナログフィルタを使用したフィルタ処理によりＲＦ信号に含まれる高周波信号成分が除去される。上述したように、重畳周波数ｆｍは、１次のＣＲアナログフィルタの高域遮断周波数に対して十分高い周波数とされている。したがって、１次のＣＲアナログフィルタによって高周波信号成分を除去でき、ＲＦ信号に対する高周波信号成分の混入を防ぐことができる。
【００５０】
トップホールド部およびボトムホールド部９においてＲＦ信号のエンベローブ情報が検出され、例えば、ＲＦ信号の振幅のトップ（ピーク）およびボトムがそれぞれ検出される。上述したフィルタ処理により、ＲＦ信号に対する高周波信号成分の混入を防ぐことができるため、ＲＦ信号のエンベローブ情報をトップホールド部およびボトムホールド部９が正確に測定できる。トップホールド部およびボトムホールド部９において検出されたエンベローブ情報が記録特性測定部１０に対して供給される。そして、処理がステップＳ３に進む。
【００５１】
ステップＳ３では、記録特性測定部１０において、トップホールド部およびボトムホールド部９から供給されるエンベローブ情報を使用した所定の演算が実行される。所定の演算が実行されることにより変調度等の測定値が算出される。ＲＦ信号のエンベローブ情報を正確に測定できるため、エンベローブ情報を使用した演算により測定される変調度等の測定値も正確となる。記録特性測定部１０で測定された測定値が制御部１５に対して供給される。
【００５２】
制御部１５は、測定値に応じてレーザ光の記録パワーを最適化する制御信号を生成し、この制御信号がＡＰＣ５に供給される。ＡＰＣ５が制御信号に基づいてレーザ駆動回路３を駆動する。このようにレーザ光の記録パワーが最適化され、ＯＰＣが終了する。そして、処理がステップＳ４に進む。
【００５３】
ステップＳ４では、ＯＰＣが終了したことから、重畳周波数ｆｍを通常再生動作の重畳周波数ｆｒへと変更する。例えば、制御部１５がＶＣＯ４の設定を変更する制御を実行することにより、重畳周波数が重畳周波数ｆｍから重畳周波数ｆｒへと変更される。重畳周波数ｆｒは、ＲＦ信号に対して通常再生処理がなされる系（イコライザ６、デコーダ７、エラー訂正部８等）に適した値とされ、例えば、３００ＭＨｚ付近とされる。なお、上述の処理において、光学ピックアップ２がＯＰＣエリアに対してレーザ光を照射する位置に移動された後に、重畳周波数を高くする処理がなれさるようにしてもよい。
【００５４】
３．効果の説明
次に、図３、図４、図５を参照して効果の一例を説明する。図３は、光学ピックアップ２からトップホールド部およびボトムホールド部９に対して出力される理想的なＲＦ信号を模式的に示したものである。
【００５５】
図３に示したＲＦ信号は、光ディスク１から光学ピックアップ２によって読みだされた情報が例えば電流に変換されているものである。図３中のＩａ、Ｉｂは、ＲＦ信号のエンベローブ情報である。ＲＦ信号のエンベローブ情報は、トップホールド部およびボトムホールド部９で測定される。
【００５６】
記録特定測定部１０は、トップホールド部およびボトムホールド部９で測定されたエンベローブ情報を使用して演算を行い、変調度やβ値、ＲＦ振幅値を算出する。例えば、変調度Ｍについては、例えば、以下の式（１）で算出される。
Ｍ＝（Ｉａ−Ｉｂ）／Ｉａ・・・（１）
【００５７】
また、β値は、一般にＤＣ成分を含まないＲＦ信号に対して定義されるが、便宜上ＩａおよびＩｂを用いると以下の式（２）で定義される。
β＝（Ｉａ＋Ｉｂ）／（Ｉａ−Ｉｂ）・・・（２）
【００５８】
また、ＲＦ信号の振幅値は、一般にＤＣ成分を含む場合と含まない場合のそれぞれで定義されるが、便宜上ＩａおよびＩｂを用いると以下の式（３）で定義される。
ＲＦ振幅値＝（Ｉａ−Ｉｂ）・・・（３）
【００５９】
図４を参照して、ＯＰＣの再生動作の際に重畳周波数を高くする処理がなされていない場合について説明する。重畳周波数を高くする処理がなされていないため、トップホールド部およびボトムホールド部９が備える１次アナログＣＲフィルタにより高周波信号成分を除去できず、ＲＦ信号に対して高周波信号成分が混入する。図４は、高周波信号成分が混入したＲＦ信号を模式的に示したものである。
【００６０】
図４に示すように、ＲＦ信号に対して高周波信号成分が混入することで、ＲＦ信号のエンベローブ情報が高周波信号成分に起因する誤差を含むＩａ’およびＩｂ’となる。したがって、Ｉａ’およびＩｂ’を使用して上述の式（１）による変調度Ｍを計算すると、正確な変調度Ｍを得ることができない。式（２）や式（３）を使用してβ値、ＲＦ振幅値を測定する場合も同様であり、正確なβ値やＲＦ振幅値を得ることができない。
【００６１】
図５を参照して、ＯＰＣの再生動作の際に重畳周波数を高くする処理がなされた場合について説明する。ＲＦ信号のエンベローブ情報や変調度等の測定のために変更された重畳周波数は、トップホールド部およびボトムホールド部９が備える１次のＣＲアナログフィルタの高域遮断周波数より十分高い周波数に設定される。このため、１次のＣＲアナログフィルタによっても十分、高周波信号成分を抑圧することができる。
【００６２】
図５は、高周波信号成分が抑圧されたＲＦ信号を模式的に示したものである。図５に示すように、フィルタ処理により高周波信号成分が除去され、高周波信号成分に起因する誤差Ｉａ’およびＩｂ’が抑圧されている。高周波信号成分が抑圧されることで、式（１）を使用して得られる変調度Ｍを理想的なＲＦ信号における変調度Ｍに近づけることができる。β値やＲＦ振幅値についても同様であり、β値やＲＦ振幅値を理想的なＲＦ信号におけるβ値やＲＦ振幅値に近づけることができる。なお、上述したように高周波信号の周波数を３００ＭＨｚ付近から５００ＭＨｚ付近に変更した場合に、レーザ光のノイズ特性であるＲＩＮ値は若干上昇する。変調度系の測定で有意に影響するのはディスクが持っているノイズ、面内の特性変動等となる。ＲＩＮは白色ノイズで安定しているので、例えば記録信号のないエリアでトップおよびボトムホールド値への影響を測定しておき、本来の測定の際に差し引くことで容易に抑圧できるので大きな影響は与えない。
【００６３】
このように、ＲＦ信号の振幅情報を測定するための再生動作を行う際の重畳周波数を、通常再生時の重畳周波数より高くすることで、ＲＦ信号に混入する高周波信号成分の影響を低減できる。重畳周波数を変更するだけなので、トップホールド部およびボトムホールド部９等の測定系に高次のＦＩＲフィルタを用いる必要が無い。したがって、装置の複雑化を防ぎコスト面でも有利となる。
【００６４】
＜変形例＞
以上、一実施形態について具体的に説明したが、情報処理装置の構成、処理等において各種の変形が可能であることは言うまでもない。以下、変形例について説明する。
【００６５】
上述した一実施形態では、ＲＦ信号のエンベローブ情報の測定や、エンベローブ情報を使用した変調度やβ値、ＲＦ振幅値の測定がＯＰＣの処理で実行されるものとしたが、他の処理において実行されてもよい。例えば、光学収差を補正するための処理において、ＲＦ信号のエンベローブ情報の測定や、エンベローブ情報を使用した変調度やβ値、ＲＦ振幅値の測定がなされてもよい。
【００６６】
上述した一実施形態では、情報処理装置の一例として光ディスクに対して記録および再生機能を有する装置として説明したが、再生機能のみを有する装置や、ディスクドライブ装置としても構成できる。例えば、ＲＯＭ(Read Only Memory)ディスクを再生する再生装置（プレーヤ）において、光学収差を補正するためにＲＦ信号のエンベローブ情報の測定がなされ、測定されたエンベローブ情報を使用して変調度やβ値、ＲＦ振幅値が測定される。光学収差を補正するためのＲＦ信号を得る再生動作の際に、重畳周波数を通常再生動作の際の重畳周波数より高く変更する処理がなされてもよい。
【００６７】
上述した一実施形態におけるＯＰＣは、記録処理の前に行われるものとして説明したがこれに限られない。例えば、記録処理を行いながら間欠的にＯＰＣが実行されてもよい（ランニングキャリブレーション）。すなわち、記録信号の一部を記録した後に一旦記録処理を停止し、既に記録した信号を再生してＯＰＣを実行し、ＯＰＣが終了した後に再度記録処理が行われる。このように実行されるＯＰＣの再生動作の際に、重畳周波数を通常再生動作の際の重畳周波数より高く変更する処理がなされてもよい。ＯＰＣは、記録処理の前および記録処理中の少なくとも一方において実行されればよい。
【００６８】
上述した一実施形態で示した高域遮断周波数や重畳周波数などの数値は一例であり、これに限定されるものではない。例えば、異なる波長を有するレーザ光毎に通常再生動作の際の重畳周波数や、ＲＦ信号の振幅情報を測定するための再生動作の際の重畳周波数が適切に設定される。
【００６９】
上述した一実施形態では、変調度、β値、ＲＦ振幅値を測定するものとしたが、これに限られない。ＲＦ信号の振幅情報を使用して得られる他の測定値を測定するときに重畳周波数が通常再生動作の際の重畳周波数より高く変更されても良い。
【００７０】
上述した一実施形態および変形例において、光学ピックアップ２からトップホールド部およびボトムホールド部９に対して供給されるＲＦ信号が、１倍速に対してＮ倍速（ただし、Ｎ＞１）の再生速度で再生（倍速再生）された信号とされてもよい。例えば、４倍速で再生されたＲＦ信号の最高周波数は、変更前の重畳周波数（通常再生動作の重畳周波数）とより接近するため、１次のＣＲアナログフィルタにより高周波信号成分を厳密に除去することが困難となる。本願では、重畳周波数を通常再生動作の際の重畳周波数より高く変更するため１次のＣＲアナログフィルタによるフィルタ処理により高周波信号成分を除去できる。このように、ＲＦ信号が倍速再生された信号でも同様の効果を得ることができる。
【００７１】
一実施形態および変形例における情報処理装置の構成や作用は、情報処理装置のほか、情報処理方法やプログラム、プログラムを記録した記録媒体としても実現することができる。
【符号の説明】
【００７２】
１・・・・光ディスク
２・・・・光学ピックアップ
３・・・・レーザ駆動回路
４・・・・ＶＣＯ
９・・・・トップホールド部およびボトムホールド部
１０・・・記録特性測定部
１５・・・制御部
２０・・・情報処理装置
【図１】
2012048801.tif 000003
【図２】
2012048801.tif 000004
【図３】
2012048801.tif 000005
【図４】
2012048801.tif 000006
【図５】
2012048801.tif 000007